(57)【要約】【課題】従来よりも扱いやすい美容器具を提供する。【解決手段】本体部２と、本体部２から延出した細長部３とを有する美容器具１である。細長部３は、人体肌に接触させる接触面部４を有し、接触面部４を介して人体肌に美容効果を与えるように構成されている。接触面部４は、外方に膨出した略半楕円体形状を呈しているとともに、細長部３の先端近傍側面に配置されている。細長部３は、長手方向に直交する断面の重心を結ぶことで形成される中心線が滑らかなＳ字状の湾曲形状を呈しており、接触面部４は、中心線の湾曲形状の凸側に配置されていることが好ましい。【選択図】図１
2014193238.tif 000002
【特許請求の範囲】
【請求項１】
本体部と、
該本体部から延出した細長部とを有し、
該細長部は、人体肌に接触させる接触面部を有し、該接触面部を介して人体肌に美容効果を与えるように構成されており、
上記接触面部は、外方に膨出した略半楕円体形状を呈しているとともに、上記細長部の先端近傍側面に配置されていることを特徴とする美容器具。
【請求項２】
請求項１に記載の美容器具において、上記細長部は、長手方向に直交する断面の重心を結ぶことで形成される中心線が滑らかなＳ字状の湾曲形状を呈しており、上記接触面部は、上記中心線の湾曲形状の凸側に配置されていることを特徴とする美容器具。
【請求項３】
請求項１または２に記載の美容器具において、上記細長部における上記接触面部の背面は、滑らかな曲面形状を呈しながら上記本体部に連なり、上記細長部における上記接触面部の背面から上記本体部までの長手方向に沿った輪郭線が滑らかなＳ字状の湾曲形状を呈していることを特徴とする美容器具。
【請求項４】
請求項１〜３のいずれか１項に記載の美容器具において、上記細長部は、上記接触面部の背面が、長手方向に沿って凹状の湾曲形状を呈していることを特徴とする美容器具。
【請求項５】
請求項１〜４のいずれか１項に記載の美容器具において、上記細長部は、長手方向に直交する断面の重心を結ぶことで形成される中心線が滑らかなＳ字状の湾曲形状を呈しており、上記本体部は、上記中心線の湾曲形状の凸側と同側に膨出した膨出ヘッド部を有し、該膨出ヘッド部を介して人体肌に美容効果を付与可能に構成されていることを特徴とする美容器具。
【請求項６】
請求項５に記載の美容器具において、上記膨出ヘッド部は、その頂面の外周縁から徐々に拡径するテーパ側面部を有することを特徴とする美容器具。
【請求項７】
請求項６に記載の美容器具において、上記テーパ側面部は、少なくとも、上記細長部の基端側近傍において中央部分が内方に窪んだ形状を呈していることを特徴とする美容器具。
【請求項８】
請求項６または７に記載の美容器具において、上記テーパ側面部は、周方向において拡径度合いが異なり、上記細長部の基端側近傍が最も拡径度合いが大きいことを特徴とする美容器具。
【発明の詳細な説明】
【技術分野】
【０００１】
本発明は、人体肌の美容のために用いる美容器具に関する。
【背景技術】
【０００２】
化粧品等に含有される美容成分の美容効果をより向上させる方法として、種々の方法が提案されている。例えば、特許文献１には、患部に電流を出力する電極部を有し、該電極部からパルス状の電流を流すよう構成されたイオン導入器が開示されている。また、特許文献２には、金属製のプローブヘッドに超音波振動子を内蔵し、肌にその超音波振動を伝播させる超音波健康・美容器が開示されている。
【０００３】
これらの美容器具は、美容成分を肌に塗布した後、肌に接触させた電極部やプローブヘッド等を動作させることにより、美容成分の肌内部への浸透を促進させることができるよう構成されている。
【先行技術文献】
【特許文献】
【０００４】
【特許文献１】特開２００５−３１２４９７号公報
【特許文献２】特開２００１−９５８７５号公報
【発明の概要】
【発明が解決しようとする課題】
【０００５】
従来の美容器具は、上述したように、電極部等を肌へ接触させることにより美容効果を発揮させるよう構成されている。しかしながら、例えば顔等の比較的起伏の大きい形状を有する部分において肌の手入れをしようとする場合には、美容器具を肌に当接させるために、美容器具を肌に強く押し付けたり、手で肌を引き伸ばしながら美容器具を当接させたりするなどの種々の工夫が必要な場合がある。そのため、使用者の扱いやすさの観点からは、未だ改善の余地がある。
【０００６】
本発明は、かかる背景に鑑みてなされたものであり、従来よりも扱いやすい美容器具を提供しようとするものである。
【課題を解決するための手段】
【０００７】
本発明の一態様は、本体部と、
該本体部から延出した細長部とを有し、
該細長部は、人体肌に接触させる接触面部を有し、該接触面部を介して人体肌に美容効果を与えるように構成されており、
上記接触面部は、外方に膨出した略半楕円体形状を呈しているとともに、上記細長部の先端近傍側面に配置されていることを特徴とする美容器具にある（請求項１）。
【発明の効果】
【０００８】
上記美容器具は、該接触面部が上記特定の形状を呈するとともに、上記特定の位置に配置されている。このように配置された接触面部は、手の指の腹部分を模擬した形状となり、起伏の多い形状を呈する部分の肌に対して自然にフィットしやすい形状となる。
【０００９】
すなわち、接触面部が外方に膨出した略半楕円体状を呈しているため、接触面部を容易に肌に当接させることができる。これにより、例えば周囲よりも窪んだ形状を呈する部位に接触面部を当接させる際等に、接触面部と肌とを自然に当接させることができる。
【００１０】
また、略半楕円体状の接触面部が、上記細長部の先端近傍側面に配置されているため、例えば周囲よりも隆起した形状を呈する部位に接触面部を当接させる際に、細長部と当該隆起部分の周辺とが干渉しにくくなる。その結果、接触面部を隆起部分の基部まで容易に当接させることができる。
【００１１】
以上のように、上記美容器具は、上記接触面部が起伏の大きい形状に対して自然にフィットしやすくなるよう構成されており、従来よりも扱いやすいものとなる。
【図面の簡単な説明】
【００１２】
【図１】実施例における、接触面部を上方に向けた状態で細長部側から見た美容器具の斜視図。
【図２】実施例における、磁力発生面を下方に向けた状態で膨出ヘッド部側から見た美容器具の斜視図。
【図３】実施例における、美容器具の側面図。
【図４】実施例における、美容器具の下面図。
【図５】実施例における、美容器具の上面図。
【図６】実施例における、美容器具の接触面部の正面図。
【図７】図６のVII−VII線矢視断面図。
【図８】実施例における、美容器具の膨出ヘッド部の使用方法の説明図。
【図９】実施例における、美容器具の接触面部の使用方法の説明図。
【図１０】実施例における、美容器具の細長部を把持した状態の説明図。
【図１１】実施例における、美容器具の本体部を把持した状態の説明図。
【発明を実施するための形態】
【００１３】
上記美容器具において、上記接触面部の形状を示す略半楕円体状とは、人の指の腹を模擬した曲面形状を意味するものである。より具体的には、正面から見た時にその輪郭線が略楕円状を呈するとともに、側方から見た時に外方に向かって滑らかな曲面を描きつつ膨出する形状を指す。つまり、略半楕円体状とは、幾何学的に定義される楕円の長軸を回転軸として得られる回転体（回転楕円体）を回転軸に沿った平面で切断して得られる立体形状、及び、一般的な観念として当該立体形状と認められ得る程度にその形状を変形させた形状を含む概念である。
【００１４】
上記接触面部は、人の指の腹を模擬した曲面形状（略半楕円体状）を呈していればその作用効果を発揮することができるが、起伏の大きい形状に対してよりフィット感を高める観点からは、接触面部の膨出高さ、すなわち、接触面部の頂点を通る短軸方向の断面において計測する、接触面部の外周端縁から頂点までの高さを１〜５ｍｍとすることが好ましく、２〜４ｍｍとすることがより好ましい。同様に、起伏の大きい形状に対してよりフィット感を高める観点から、接触面部の長軸方向を細長部の長手方向に沿って配置することがより好ましく、接触面部の短軸方向の寸法を１０〜２０ｍｍとし、長軸方向の寸法を１５〜３０ｍｍとすることがさらに好ましい。
【００１５】
また、上記細長部の具体的な形状は種々の形状を取りうるが、最も単純な態様としては円柱や角柱等の柱状形状がある。また、他の態様としては、上記柱状形状の外径を長手方向に行くにつれて大小変化させた形状や、長手方向と直交する方向に屈曲させた形状、あるいはこれらの変形の組み合わせなどをとることができる。
【００１６】
細長部の形状としては、長手方向に直交する細長部の断面が略円形を呈する形状であることが好ましい。この場合には、周囲よりも隆起した形状を呈する部位に接触面部を当接させる際に、細長部と当該隆起部分の周辺とがより干渉しにくくなる。その結果、接触面部を隆起部分の基部まで容易に当接させることができ、美容器具の扱いやすさをより向上させることができる。細長部の干渉をより起こしにくくさせる観点からは、接触面部の近傍における細長部の直径は、接触面部の短軸方向の寸法に対して２．５倍以下が好ましく、２倍以下がより好ましい。
【００１７】
また、上記細長部は、長手方向に直交する断面の重心を結ぶことで形成される中心線が滑らかなＳ字状の湾曲形状を呈しており、上記接触面部は、上記中心線の湾曲形状の凸側に配置されていてもよい（請求項２）。細長部をこのような形状とすることにより、接触面部を肌に当接させる際に細長部と肌とがより干渉しにくくなり、起伏の大きい部位に対して接触面部をよりフィットさせやすくなる。その結果、上記美容器具は、従来よりも一層扱いやすいものとなる。
【００１８】
また、この場合には、細長部の基端側（本体部側）が、長手方向に沿って凹状の湾曲形状を呈することとなる。そのため、本体部を把持して接触面部を使用する際に、把持する指を上記凹状部分に納めやすい形状となる。その結果、本体部を把持しやすくなるため、美容器具の扱いやすさをより向上させることができる。
【００１９】
なお、上述した断面の重心とは、当該断面の幾何学的な重心である。すなわち、例えば断面が円形を呈する場合には、その中心が上述した重心となり、断面が楕円形を呈する場合には、その長軸と短軸との交点が上述した重心となる。
【００２０】
また、上記細長部における上記接触面部の背面は、滑らかな曲面形状を呈しながら上記本体部に連なり、上記細長部における上記接触面部の背面から上記本体部までの長手方向に沿った輪郭線が滑らかなＳ字状の湾曲形状を呈していてもよい（請求項３）。この場合には、本体部を把持して接触面部を使用する際に、本体部が手にフィットしやすい形状となる。その結果、本体部を把持しやすくなるため、美容器具の扱いやすさをより向上させることができる。
【００２１】
また、上記細長部は、上記接触面部の背面が、長手方向に沿って凹状の湾曲形状を呈していてもよい（請求項４）。この場合には、本体部を把持して接触面部を使用する際に、接触面部の背面に指先が収まりやすい形状となる。そして、接触面部を使用する際に、使用者が指先を接触面部の背面に配置することにより、使用者は、指先を肌に触れさせる位置感覚とほぼ同じ感覚で接触面部を肌に触れさせることが容易となる。そのため、肌上の接触面部の位置を使用者の意図に合わせて動かすことがより容易となる。その結果、美容器具の扱いやすさをより向上させることができる。
【００２２】
また、上記細長部は、長手方向に直交する断面の重心を結ぶことで形成される中心線が滑らかなＳ字状の湾曲形状を呈しており、上記本体部は、上記中心線の湾曲形状の凸側と同側に膨出した膨出ヘッド部を有し、該膨出ヘッド部を介して人体肌に美容効果を付与可能に構成されていてもよい（請求項５）。この場合には、美容器具は、接触面部と膨出ヘッド部との２箇所において美容効果を発揮させることができる。また、膨出ヘッド部を上記特定の方向に設けることにより、肌表面の美容効果を得ようとする部位に膨出ヘッド部を容易に向けることができる。その結果、美容器具の利便性をより向上させることができる。
【００２３】
また、本体部が膨出ヘッド部を有することにより、接触面部側の機能を使用する際に、使用者が膨出ヘッド部に指をかけつつ本体部を把持することが可能となる。そのため、使用者が美容器具をより把持しやすくなる。
【００２４】
また、この場合には、長手方向に直交する細長部の断面が略円形を呈していることがより好ましい。細長部は、使用者が膨出ヘッド部を使用する際の把持部として機能することとなる。そのため、細長部の断面を略円形とすることにより、膨出ヘッド部を使用する際に、使用者が細長部をより把持しやすくなり、美容器具をより扱いやすくすることができる。
【００２５】
膨出ヘッド部により得られる美容効果は特に限定されず、接触面部により得られる美容効果と同一であってもよく、互いに異なるものであってもよい。膨出ヘッド部と接触面部とが同一の美容効果を有する場合には、例えば、肌に作用する面積を互いに異なるものとすることにより、美容効果を得ようとする部位の形状に応じて膨出ヘッド部と接触面部とを使い分けることができる。
【００２６】
また、膨出ヘッド部と接触面部とが互いに異なる美容効果を与えることが可能に構成されている場合には、互いに関連しているとともに異なる美容効果を得るための２つの作業を、１つの上記美容器具における両端の機能を順次用いて連続して実施することが可能となる。その結果、例えば、肌の汚れ等の除去作業と、美容成分を肌に浸透させる作業等との２つの作業をより効率的に行うことができるとともに、より優れた美容効果が期待できる。
【００２７】
また、上記膨出ヘッド部は、その頂面の外周縁から徐々に拡径するテーパ側面部を有していてもよい（請求項６）。この場合には、接触面部を使用する際に、使用者がテーパ側面部に指をかけつつ本体部を把持しやすくなる。その結果、美容器具は、より把持しやすいものとなる。
【００２８】
また、上記テーパ側面部は、少なくとも、上記細長部の基端側近傍において中央部分が内方に窪んだ形状を呈していてもよい（請求項７）。この場合には、テーパ側面部に設けられた窪み形状が指にフィットしやすい形状となる。そのため、接触面部を使用する際に、使用者がテーパ側面部に指をかけつつ本体部を把持しやすくなる。その結果、美容器具は、より把持しやすいものとなる。
【００２９】
また、上記テーパ側面部は、周方向において拡径度合いが異なり、上記細長部の基端側近傍が最も拡径度合いが大きくなるよう構成されていてもよい（請求項８）。この場合には、テーパ側面部における細長部の基端側に指をかけることがより容易となる。そのため、接触面部を使用する際に、使用者がテーパ側面部に指をかけつつ本体部を把持しやすくなる。その結果、美容器具は、より把持しやすいものとなる。
【実施例】
【００３０】
上記美容器具の実施例について、図１〜図１１を用いて説明する。図１〜図５に示すように、美容器具１は、本体部２と、本体部２から延出した細長部３とを有している。図１及び図９に示すように、細長部３は、人体肌に接触させる接触面部４を有し、接触面部４を介して人体肌に美容効果を与えるように構成されている。図１、図６及び図７に示すように、接触面部４は、外方に膨出した略半楕円体形状を呈している。そして、図１、図３及び図４に示すように、接触面部４は、細長部３の先端近傍側面に配置されている。
【００３１】
また、図１及び図３に示すように、本体部２は、細長部３の長手方向と略直交する方向に膨出した膨出ヘッド部５を有している。
【００３２】
以下、美容器具１についてより詳細に説明する。なお、以下において、美容器具１の前後方向に関して、接触面部４を有する側を前方といい、膨出ヘッド部５を有する側を後方ということがある。また、美容器具１を前後方向から見たときの接触面部４側を下方とし、その反対側を上方ということがある。また、前後方向及び上下方向の双方と直交する方向を側方ということがある。これらの方向表示は便宜上のものであり、美容器具１の使用時における実際の向きとは何ら関係がない。
【００３３】
美容器具１は、図３に示すように、側方から見て略弧状を呈し、細長部３の長手方向における美容器具１の中央部１００が両端部に対して上方に位置するように湾曲して形成されている。前後方向における美容器具１の長さは、約１５０ｍｍである。また、膨出ヘッド部５を下方に向け、その頂面５１を水平にした状態における、細長部３の延出方向の先端部３１（図３参照）の水平面からの高さは約２９ｍｍである。
【００３４】
また、美容器具１の前後方向の両端部は、図４及び図５に示すように、上下方向から見たときの外形線が略円弧状を呈している。また、長手方向の中央部１００が、上下方向から見たときに両端に比べて幅狭に形成されている。中央部１００における、上下方向から見た時の最小の幅は約１８ｍｍである。
【００３５】
本体部２から前方に延出された細長部３は、図３に示すように、長手方向に直交する断面の重心を結ぶことで形成される中心線３３が滑らかなＳ字状の湾曲形状を呈しており、接触面部４は、中心線３３の湾曲形状の凸側に配置されている。そして、細長部３は、その先端部３１と、本体部２側の基部３０との双方に対して、これらを接続する接続部３２が下方に配されるように湾曲している。
【００３６】
すなわち、細長部３における接触面部４が配された側の面は、滑らかな曲面形状を呈しながら本体部２に連なるとともに、接触面部４から本体部２までの長手方向に沿った輪郭線３２１（図３参照）が滑らかなＳ字状の湾曲形状を呈しており、その凸側に接触面部４が配置されている。また、細長部３の基部３０側（本体部２側）が、長手方向に沿って凹状の湾曲形状を呈している。
【００３７】
図３に示すように、細長部３における接触面部４の背面３５は、滑らかな曲面形状を呈しながら本体部２に連なり、細長部３における接触面部４の背面３５から本体部２までの長手方向に沿った輪郭線３２０が滑らかなＳ字状の湾曲形状を呈している。そして、接触面部４の背面３５が、長手方向に沿って凹状の湾曲形状を呈している。なお、図には示さないが、本例の美容器具１は、細長部３の長手方向に直交する断面が略円形を呈している。
【００３８】
また、図３及び図４に示すように、細長部３は、長手方向（前後方向）に直交する断面が、先端部３１に近づくにつれて徐々に外径が拡大するとともに、最大外径部３４を越えた後に徐々に外径が縮小する形状を呈している。そして、図３に示すように、接触面部４は最大外径部３４と先端部３１との間に配置され、かつ、接触面部４の長軸方向が長手方向に対して斜めとなるよう配置されている。
【００３９】
つまり、細長部３の先端部３１の近傍は、全体として手の指先を模擬した滑らかな曲面状に形成されており、その指の腹に相当する位置に、側方から見たときに長手方向に対して傾斜するように接触面部４が配置されている。なお、美容器具１を上方から見た時の最大外径部３４の幅（図４参照）は約２５ｍｍであり、美容器具１を側方から見た時の最大外径部３４の厚み（図３参照）は約２３ｍｍである。
【００４０】
細長部３の先端部３１に配された接触面部４は、図６に示すように、肌と接触する表面側から見て略楕円形状を呈しており、図３及び図７に示すように、滑らかな曲面を呈するように外方に向けて膨出している。接触面部４を正面側から見た時（図６参照）の長軸方向の長さは約２３ｍｍであり、短軸方向の幅は約１５ｍｍである。また、図７に示す接触面部４の膨出高さＨ、すなわち、接触面部４の頂点４１を通る短軸方向の断面において計測する、接触面部４の外周端縁４２から頂点４１までの高さは約３ｍｍである。
【００４１】
図１及び図３に示すように、本体部２は、細長部３における中心線３３の湾曲形状の凸側と同側に膨出した膨出ヘッド部５を有している。また、図２に示すように、本体部２における膨出ヘッド部５の背面２１０は、滑らかな曲面形状を呈しながら変形しつつ細長部３の基部３０と連なっている。後述するように、美容器具１は膨出ヘッド部５を介して人体肌に美容効果を付与可能に構成されている。
【００４２】
膨出ヘッド部５は、図３及び図４に示すように、その頂面５１の外周縁から徐々に拡径するテーパ側面部５２を有している。図３に示すように、頂面５１とテーパ側面部５２とは、曲面により互いに接続されている。また、本体部２及び細長部３の各々とテーパ側面部５２の外周縁部とは緩やかな曲面により互いに接続されている。
【００４３】
頂面５１は、図３に示すように平坦に形成されており、図４に示すように下方から見て略楕円形状を呈している。
【００４４】
図３に示すように、テーパ側面部５２は、少なくとも、細長部３の基端側近傍５２２において中央部分５２１が内方に窪んだ形状を呈している。また、図４に示すように、テーパ側面部５２は、周方向において拡径度合いが異なり、細長部３の基端側近傍５２２が最も拡径度合いが大きくなる形状を呈している。
【００４５】
次に、本例の美容器具１における美容効果を発揮するための構成について説明する。美容器具１は、図９に示すように、肌に塗布された電荷を有する美容成分の肌内部への浸透を促進させる、イオン導入器として構成されている。つまり、美容器具１の接触面部４と、本体部２における膨出ヘッド部５の背面２１０に配設された対電極２２（図２、図５参照）とが、イオン導入器の電極として機能するよう構成されている。本例の美容器具１は、接触面部４と対電極２２とがともに肌に接触したことを契機として、接触面部４と対電極２２との間に電位差を発生可能に構成されており、この電位差により人体肌にイオン導入電流を流し、美容成分の肌内部への浸透を促進させることができる。また、本体部２の背面２１０には、肌にイオン導入電流が流れている間発光するように構成されたＬＥＤインジケータ５３（図５参照）が配されている。
【００４６】
また、美容器具１は、図８に示すように、磁力により吸着除去可能に構成された美容剤６を、塗布した肌から磁力により吸着除去可能なリムーバーとして構成されている。つまり、本例の美容器具１は、膨出ヘッド部５の内部にネオジム磁石（図示略）を内蔵しており、膨出ヘッド部５の頂面５１が、磁力を発生する磁力発生面となるよう構成されている。
【００４７】
次に、美容器具１の使用方法の一例について説明する。まず、使用者は、美容器具１を使用する前に、電荷を帯びた美容成分を含有する美容剤６を肌に塗布しておく。なお、本例において、美容成分としては、Ｌ−アスコルビン酸−２−リン酸ナトリウムを使用した。また、美容剤６は、磁性粉等を混合することにより磁力によって吸着され得るよう構成されているとともに、肌の汚れ等を吸着する機能を有するものを使用した。
【００４８】
使用者は、美容剤６を塗布した後、例えば図８に示すように細長部３を把持し、膨出ヘッド部５の頂面５１側を肌に近づける。このとき、細長部３を把持する位置を、例えば図１０に示すように、使用者の手の小指球が接触面部４の背面３５の湾曲形状に沿うような位置とすることにより、美容器具１をより把持しやすくなる。また、図１０に示すように、人差し指を伸ばして本体部２の背面２１０に沿わせてもよい。
【００４９】
図８に示すように、膨出ヘッド部５の頂面５１を美容剤６が塗布された肌表面に近づけると、肌の汚れ等を吸着した使用後の美容剤６が磁力により肌表面から吸着除去される。このとき、美容剤６中の美容成分であるＬ−アスコルビン酸−２−リン酸ナトリウムは、磁力によって吸着されないため、肌表面に塗布された状態となる。
【００５０】
このようにして使用後の美容剤６を肌から除去した後、使用者は美容器具１を持ち替え、接触面部４が手から突出し、かつ、対電極２２が手のひらと接触するように本体部２を把持する。このとき、本体部２を把持する位置を、例えば図１１に示すように、テーパ側面部５２に指をかけつつ、人差し指を接触面部４の背面３５に収めるようにすることにより、美容器具１をより把持しやすく、かつ、取り扱いを容易にすることができる。
【００５１】
図９に示すように接触面部４を肌表面に接触させると、接触面部４と肌との接触部に、イオン導入電流が流れる。本例の美容器具１は、イオン導入電流が肌に流れる際に、接触面部４が陰極、対電極２２が陽極として機能するよう構成されている。これにより、接触面部４と接触している肌表面に存在するＬ−アスコルビン酸−２−リン酸イオンを肌内部へ浸透させることができる。
【００５２】
次に、美容器具１の作用効果について説明する。図１〜図５に示すように、美容器具１は、接触面部４が特定の形状を呈するとともに、特定の位置に配置されている。このように配置された接触面部４は、手の指の腹部分を模擬した形状となり、起伏の多い形状を呈する部分の肌に対して自然にフィットしやすい形状となる。
【００５３】
すなわち、接触面部４が外方に膨出した略半楕円体状を呈しているため、例えば周囲よりも窪んだ形状を呈する部位に接触面部４を当接させる際等に、接触面部４と肌とを自然に当接させることができる。また、接触面部４が細長部３の先端近傍側面に配置されているため、例えば周囲よりも隆起した形状を呈する部位に接触面部４を当接させる際に、細長部３と当該隆起部分の周辺とが干渉しにくくなる。その結果、接触面部４を隆起部分の基部まで容易に当接させることができる。
【００５４】
また、図３に示すように、細長部３は、長手方向に直交する断面の重心を結ぶことで形成される中心線３３が滑らかなＳ字状の湾曲形状を呈しており、接触面部４は、中心線３３の湾曲形状の凸側に配置されている。そのため、接触面部４を肌に当接させる際に細長部３と肌とがより干渉しにくくなり、起伏の大きい部位に対して接触面部４をよりフィットさせやすくなる。その結果、美容器具１は、従来よりも一層扱いやすいものとなる。
【００５５】
また、この場合には、細長部３の基端側（基部３０の近傍）が、長手方向に沿って凹状の湾曲形状を呈することとなる。そのため、本体部２を把持して接触面部４を使用する際に、把持する指を上記凹状部分に納めやすい形状となる。その結果、本体部２を把持しやすくなるため、美容器具１の扱いやすさをより向上させることができる。
【００５６】
また、図３に示すように、細長部３における接触面部４の背面３５は、滑らかな曲面形状を呈しながら本体部２に連なり、細長部３における接触面部４の背面３５から本体部２までの長手方向に沿った輪郭線３２０が滑らかなＳ字状の湾曲形状を呈している。そのため、本体部２を把持して接触面部４を使用する際に、本体部２が手にフィットしやすい形状となる。その結果、本体部２を把持しやすくなるため、美容器具１の扱いやすさをより向上させることができる。
【００５７】
また、細長部３は、接触面部４の背面３５が、長手方向に沿って凹状の湾曲形状を呈している。そのため、本体部２を把持して接触面部４を使用する際に、接触面部４の背面３５に指先が収まりやすい形状となる。そして、例えば図１１に示すように、接触面部４を使用する際に、使用者が指先を接触面部４の背面３５に配置することにより、使用者は、指先を肌に触れさせる位置感覚とほぼ同じ感覚で接触面部４を肌に触れさせることが容易となる。そのため、肌上の接触面部４の位置を使用者の意図に合わせて動かすことがより容易となる。その結果、美容器具１の扱いやすさをより向上させることができる。
【００５８】
また、図１及び図３に示すように、細長部３における中心線３３の湾曲形状の凸側と同側に膨出した膨出ヘッド部５を有している。そして、図８に示すように、膨出ヘッド部５を介して人体肌に美容効果を付与可能に構成されている。そのため、美容器具１は、接触面部４と膨出ヘッド部５との２箇所において美容効果を発揮させることができる。また、膨出ヘッド部５を上記特定の方向に設けることにより、肌表面の美容効果を得ようとする部位に膨出ヘッド部５を容易に向けることができる。その結果、美容器具１の利便性をより向上させることができる。
【００５９】
また、本体部２が膨出ヘッド部５を有することにより、接触面部４側の機能を使用する際に、使用者が膨出ヘッド部５に指をかけつつ本体部２を把持することが可能となる。そのため、使用者が美容器具１をより把持しやすくなる。
【００６０】
また、図３に示すように、膨出ヘッド部５は、その頂面５１の外周縁から徐々に拡径するテーパ側面部５２を有している。そのため、接触面部４を使用する際に、使用者がテーパ側面部５２に指をかけつつ本体部２を把持しやすくなる。その結果、美容器具１は、より把持しやすいものとなる。
【００６１】
また、テーパ側面部５２は、少なくとも、細長部３の基端側近傍５２２において中央部分５２１が内方に窪んだ形状を呈している。これにより、テーパ側面部５２に設けられた窪み形状が指にフィットしやすい形状となる。そのため、例えば図１０に示すように、接触面部４を使用する際に、使用者がテーパ側面部５２に指をかけつつ本体部２を把持しやすくなる。その結果、美容器具１は、より把持しやすいものとなる。
【００６２】
また、図３及び図４に示すように、テーパ側面部５２は、周方向において拡径度合いが異なり、細長部３の基端側近傍５２２が最も拡径度合いが大きくなるよう構成されている。そのため、テーパ側面部５２における細長部３の基端側に指をかけることがより容易となる。そのため、例えば図１１に示すように、接触面部４を使用する際に、使用者がテーパ側面部５２に指をかけつつ本体部２を把持しやすくなる。その結果、美容器具１は、より把持しやすいものとなる。
【００６３】
また、膨出ヘッド部５により美容剤６を肌表面から除去することにより、肌中の汚れや老廃物を除去可能であるとともに、肌に浸透させるべき美容成分を肌表面に残した状態とすることができる。さらに本例では、細長部３の接触面部４が、イオン導入により美容成分を肌に浸透させることができるよう構成されている。そのため、美容器具１の把持する部分を反転させて接触面部４を肌に接触させることにより、美容効果を得るための２種の作業を容易に連続して実施することができ、複数の互いに異なる美容器具を使い分けるわずらわしさを解消させることができる。
【００６４】
また、本例では、細長部３の長手方向に直交する断面の形状が略円形である。そのため、膨出ヘッド部５側の機能を使用する際に、使用者が細長部３をより把持しやすくなり、美容器具１をより扱いやすくすることができる。
【００６５】
以上のように、美容器具１は、従来よりも扱いやすいものとなる。
【００６６】
また、本例においては、膨出ヘッド部５と接触面部４とが互いに異なる美容効果を与えることが可能に構成されている。そのため、互いに関連しているとともに異なる美容効果を得るための２つの作業を、１つの美容器具１における接触面部４及び膨出ヘッド部５の機能を順次用いて連続して実施することが可能となる。
【００６７】
そして、本例の美容器具１は、膨出ヘッド部５を用いた肌の汚れ等の除去作業と、接触面部４を用いた美容成分を肌に浸透させる作業との２つの作業を連続して行うことができる。これにより、美容効果を得るための２つの作業をより効率的に行うことができるとともに、より優れた美容効果が期待できる。
【００６８】
なお、上記実施例においては、接触面部４がイオン導入器として、膨出ヘッド部５がリムーバーとしてそれぞれ機能するよう構成した美容器具１の例を示したが、接触面部４及び膨出ヘッド部５を用いることによる美容効果は、これらに限定されるものではない。また、接触面部４と膨出ヘッド部５とが互いに異なる美容効果を発揮し得るよう構成された美容器具１の例を示したが、接触面部４と膨出ヘッド部５とが同一の美容効果を発揮し得るように構成することも可能である。
【００６９】
また、膨出ヘッド部５を設けない構成も可能である。この場合であっても、美容器具が上述した形状を包含するように構成することにより、美容器具は、各々の形状に由来する作用効果を奏するものとなる。
【００７０】
さらに、上記実施例において、接触面部４を細長部３に設けず、膨出ヘッド部５のみを有する場合にも、美容器具が上述した形状を包含するように構成することにより、美容器具は、各々の形状に由来する作用効果を奏するものとなる。
【符号の説明】
【００７１】
１  美容器具
２  本体部
３  細長部
４  接触面部
５  膨出ヘッド部
【図１】
2014193238.tif 000003
【図２】
2014193238.tif 000004
【図３】
2014193238.tif 000005
【図４】
2014193238.tif 000006
【図５】
2014193238.tif 000007
【図６】
2014193238.tif 000008
【図７】
2014193238.tif 000009
【図８】
2014193238.tif 000010
【図９】
2014193238.tif 000011
【図１０】
2014193238.tif 000012
【図１１】
2014193238.tif 000013